(57)【要約】【課題】蓋体の開放によって分離される歯車構造であっても、用紙排出部に紙粉が侵入、堆積することがない良好な記録装置の輪列カバー機構を提供する。【解決手段】レシートプリンタ１００の輪列カバー機構は、装置本体１１に開閉自在に設けられた蓋体１３と、装置本体１１に設けられた本体側歯車と、蓋体１３に設けられて蓋体１３の閉止時に本体側歯車に噛合する蓋側歯車と、装置本体１１に設けられて本体側歯車を覆う本体側歯車カバー３９と、蓋体１３に回動可能に設けられて蓋側歯車を覆う蓋側歯車カバーと３５、蓋側歯車カバー３５に突設されて蓋体１３の閉止時に本体側歯車カバー３９上に重なる鍔部３５ａと、蓋体１３と装置本体１１とに亘って設けられて蓋体１３の開閉時に本体開口縁に鍔部３５ａが干渉しない位置へ蓋側歯車カバー３５を回動させる干渉回避手段４０と、を備える。【選択図】図２
2008221804.tif 000002
【特許請求の範囲】
【請求項１】
記録装置本体と、
前記記録装置本体に開閉自在に設けられた蓋体と、
前記記録装置本体に設けられた本体側歯車と、
前記蓋体に設けられて前記蓋体の閉止時に前記本体側歯車に噛合する蓋側歯車と、
前記記録装置本体に設けられて前記本体側歯車を覆う本体側歯車カバーと、
前記蓋体に移動可能に設けられて前記蓋側歯車を覆う蓋側歯車カバーと、
前記蓋側歯車カバーに突設されて前記蓋体の閉止時に前記本体側歯車カバー上に重なる鍔部と、
前記蓋体と前記記録装置本体とに亘って設けられて前記蓋体の開閉時に本体開口縁に前記鍔部が干渉しない位置へ前記蓋側歯車カバーを移動させる干渉回避手段と、
を具備したことを特徴とする記録装置の輪列カバー機構。
【請求項２】
前記干渉回避手段が、
前記蓋体の開閉時に前記鍔部を本体開口縁に干渉させない位置へ前記蓋側歯車カバーを移動させる付勢手段と、
前記蓋側歯車カバーに突設された凸部と、
前記記録装置本体に固定されて前記蓋体の閉動時に前記凸部と当接して前記鍔部を前記本体側歯車カバー上に重ねる位置に前記蓋側歯車カバーを移動させる当接座部と、
を備えることを特徴とする請求項１に記載の記録装置の輪列カバー機構。
【請求項３】
前記蓋側歯車カバーが前記蓋側歯車と同軸で回動自在に設けられ、前記付勢手段が前記蓋体の開閉時に前記鍔部を本体開口縁に干渉させない位置へ前記蓋側歯車カバーを回転させると共に、
前記当接座部は、前記蓋体の閉動時に前記凸部と当接して前記鍔部を前記本体側歯車カバー上に重ねる位置に前記蓋側歯車カバーを回転させることを特徴とする請求項２に記載の記録装置の輪列カバー機構。
【請求項４】
前記蓋体の開動過程に、前記凸部と前記当接座部とを当接させた前記蓋側歯車カバーの回転規制状態が解除されると同時に、前記蓋側歯車カバーが前記付勢手段の付勢力によって所定角度加速回転されることを特徴とする請求項３に記載の記録装置の輪列カバー機構。
【発明の詳細な説明】
【技術分野】
【０００１】
本発明は記録装置の輪列カバー機構に関し、特には本体側歯車と蓋側歯車とが蓋体の開放によって分離される輪列カバー機構に関する。
【背景技術】
【０００２】
ロール紙を記録媒体に用いる記録装置の一つに例えばレシートプリンタがある（特許文献１参照）。レシートプリンタでは、用紙排出部におけるプラテンローラと駆動ローラとでロール紙を表裏から挟んで所定長を繰り出す。これらプラテンローラと駆動ローラとは、それぞれ同軸に固設されたプラテン歯車（蓋側歯車）と駆動ローラ歯車（本体側歯車）とが噛合され、双方が逆方向となるように同期回転される。繰り出された用紙は、本体開口に設けられたカッターにてマニュアル、或いは自動にてカットされる。
【０００３】
レシートプリンタは、ロール紙の投入が簡単であることが商品価値を高める。記録装置本体には蓋体が開閉自在に設けられ、蓋体を開放することにより、ロール紙収容部が開放される。ロール紙の投入は、この蓋体の開閉のみにより行えることが望ましい。これに対し、ロール紙は、プラテンローラと駆動ローラとで挟んで繰り出されるため、投入方式（ドロップイン方式）とした場合、用紙排出部におけるプラテンローラと駆動ローラとは分離されることとなる。すなわち、プラテンローラが蓋体に設けられ、駆動ローラが記録装置本体に設けられる。これに伴って、それぞれのプラテン歯車と駆動ローラ歯車も分離可能に構成された。
【０００４】
【特許文献１】特開２００６−１６７９４２
【発明の開示】
【発明が解決しようとする課題】
【０００５】
しかしながら、レシートプリンタの用紙排出部では、紙送り、紙カット時に紙紛が発生する。特にマニュアルカット時には大量の紙紛が発生する。その紙粉が用紙排出部の下方に位置する歯車部に落下して使用され続けると、歯車が磨耗し、最終的に印字不能になる現象が問題となっている。
【０００６】
特に、用紙排出部におけるプラテン歯車部が蓋体と共に記録装置本体から分離される機構のプリンタにおいては、プラテン歯車を覆う蓋側歯車カバーを大きくすると、蓋体の開閉時に記録装置本体と干渉する不具合が生じる。これに対し、蓋側歯車カバーを小さくすれば、蓋体閉止時に、本体側歯車を覆う本体側歯車カバーとの間に間隙が形成され、紙粉の侵入を完全に防げなくなる問題が生じた。
このように、従来の歯車分離型のプリンタでは、用紙排出部における歯車部を効果的に覆うことが難しいことが課題となっていた。
【０００７】
本発明の目的は上記課題を解消することに係り、蓋体の開放によって分離される歯車構造であっても、用紙排出部に紙粉等が侵入、堆積することがない良好な記録装置の輪列カバー機構を提供することである。
【課題を解決するための手段】
【０００８】
本発明の上記目的は、記録装置本体と、
前記記録装置本体に開閉自在に設けられた蓋体と、
前記記録装置本体に設けられた本体側歯車と、
前記蓋体に設けられて前記蓋体の閉止時に前記本体側歯車に噛合する蓋側歯車と、
前記記録装置本体に設けられて前記本体側歯車を覆う本体側歯車カバーと、
前記蓋体に移動可能に設けられて前記蓋側歯車を覆う蓋側歯車カバーと、
前記蓋側歯車カバーに突設されて前記蓋体の閉止時に前記本体側歯車カバー上に重なる鍔部と、
前記蓋体と前記記録装置本体とに亘って設けられて前記蓋体の開閉時に本体開口縁に前記鍔部が干渉しない位置へ前記蓋側歯車カバーを移動させる干渉回避手段と、
を具備したことを特徴とする記録装置の輪列カバー機構により達成される。
【０００９】
上記構成の輪列カバー機構によれば、蓋体の閉止時、蓋側歯車カバーの鍔部が、本体側歯車カバー上に重なる。そして、蓋側歯車及び本体側歯車が双方の蓋側歯車カバーと本体側歯車カバーとによって覆われるので、その境界部分も双方のカバーがオバーラップされて紙粉の侵入する間隙が形成されることはない。
【００１０】
また、蓋体の開動時には、本体側歯車カバー側へ突出配置されている鍔部が、干渉回避手段による蓋側歯車カバーの移動によって、本体開口縁に干渉しない位置へと退避させられる。そこで、本体側歯車と蓋側歯車とが、蓋体の開放によって分離される歯車構造であっても、蓋体の開閉時に、鍔部を本体開口縁に干渉させることなく、本体側歯車カバーに重ねることが可能となる。
【００１１】
尚、上記構成の輪列カバー機構において、前記干渉回避手段が、
前記蓋体の開閉時に前記鍔部を本体開口縁に干渉させない位置へ前記蓋側歯車カバーを回転させる付勢手段と、
前記蓋側歯車カバーの回転半径方向の外側に突設された凸部と、
前記記録装置本体に固定されて前記蓋体の閉動時に前記凸部と当接して前記鍔部を前記本体側歯車カバーに重ねる位置に前記蓋側歯車カバーを回転させる当接座部と、
を備えることが望ましい。
【００１２】
このような構成の輪列カバー機構によれば、蓋側歯車カバーが付勢手段によって一方向へ付勢され、その結果、鍔部が本体開口縁と干渉しない位置へと退避される。これにより、蓋体の開閉時における鍔部と本体開口縁との干渉が回避される。また、蓋体が閉動され、鍔部が本体開口縁を通過すると、今度は蓋側歯車カバーの凸部が当接座部に当接し、蓋側歯車カバーが、付勢手段の付勢力に抗して鍔部を本体側へ突出させる方向へ移動させられる。したがって、蓋体閉止時には蓋側歯車カバーを本体側へ突出させる一方、蓋体開閉時には蓋側歯車カバーを本体開口縁に干渉させない干渉回避手段が簡単な構造で構成できる。
【００１３】
また、上記構成の輪列カバー機構において、前記蓋側歯車カバーが前記蓋側歯車と同軸で回動自在に設けられ、前記付勢手段が前記蓋体の開閉時に前記鍔部を本体開口縁に干渉させない位置へ前記蓋側歯車カバーを回転させると共に、
前記当接座部は、前記蓋体の閉動時に前記凸部と当接して前記鍔部を前記本体側歯車カバー上に重ねる位置に前記蓋側歯車カバーを回転させることが望ましい。
【００１４】
このような構成の輪列カバー機構によれば、蓋側歯車カバーが付勢手段によって一方向へ回転付勢され、その結果、鍔部が本体開口縁と干渉しない位置へと退避される。これにより、蓋体の開閉時における鍔部と本体開口縁との干渉が回避される。また、蓋体が閉動され、鍔部が本体開口縁を通過すると、今度は蓋側歯車カバーの凸部が当接座部に当接し、蓋側歯車カバーが付勢手段の付勢力に抗して、鍔部を本体側へ突出させる方向へ回転させられる。したがって、蓋体閉止時には蓋側歯車カバーを本体側へ突出させる一方、蓋体開閉時には蓋側歯車カバーを本体開口縁に干渉させない干渉回避手段がコンパクトな構造で構成できる。
【００１５】
更に、上記構成の輪列カバー機構において、前記蓋体の開動過程に、前記凸部と前記当接座部とを当接させた前記蓋側歯車カバーの回転規制状態が解除されると同時に、前記蓋側歯車カバーが前記付勢手段の付勢力によって所定角度加速回転されることが望ましい。
【００１６】
このような構成の輪列カバー機構によれば、蓋体が閉止状態から開動されると、蓋側歯車カバーの凸部が当接座部に摺接しながら徐々に当接座部から離反されて行く。この過程において、蓋側歯車カバーは付勢手段の付勢力によって回転付勢されていることで凸部が当接座部に摺接する。
【００１７】
蓋体が所定角度まで開動されると、凸部が当接座部から完全に離れ、回転規制が解除される。これと同時に付勢手段の付勢力によって蓋側歯車カバーが所定角度加速回転されるので、この蓋側歯車カバーの加速回転時の衝撃により、蓋側歯車カバーの上に堆積した紙粉が振り落とされる。従って、蓋側歯車カバーに堆積した紙粉は、蓋体を開放する都度に除去されることとなる。
【発明を実施するための最良の形態】
【００１８】
以下、添付図面に基づいて本発明の一実施形態に係る記録装置の輪列カバー機構を詳細に説明する。
図１は本発明の一実施形態に係る輪列カバー機構を備えたレシートプリンタの一部分を透視した斜視図、図２は図１に示したレシートプリンタの一部分を切り欠いた断面図、図３は用紙排出部の拡大斜視図である。
【００１９】
本実施形態に係る記録装置の輪列カバー機構は、例えばレシートプリンタ（記録装置）１００に備えられる。レシートプリンタ１００は、装置本体（記録装置本体）１１と、この装置本体１１に回転軸１５を中心に開閉自在に設けられた蓋体１３とを備える。蓋体１３の開動先端と装置本体１１との間には用紙出口（用紙排出部）１６が形成され、用紙出口１６は蓋体１３が開かれることで開放される。
【００２０】
装置本体１１の内部には、ロール紙が投入される不図示のロール紙収容部が形成される。ロール紙収容部に収容されたロール紙は、繰出し端が用紙出口１６の本体開口縁１７に置かれた状態で、蓋体１３が閉止されることにより、不図示の駆動ローラとプラテンローラとによって挟まれるようになっている。
【００２１】
図３に示すように、用紙出口１６にはカッター１９が配置され、カッター１９は装置本体１１のフレーム側板４３に固定される。フレーム側板４３の内側には駆動モータＭが固定され、駆動モータＭの駆動軸はフレーム側板４３を貫通して側方へ突出されている。駆動モータＭの駆動軸にはピニオン２３が固着され、ピニオン２３は減速歯車２５に噛合される。減速歯車２５には同軸に第２減速歯車２７が固設され、第２減速歯車２７は駆動歯車２９に噛合している。駆動歯車２９には、図２に示す出力歯車３０が同軸に固設され、出力歯車３０は蓋体１３に設けられたプラテン歯車３１に噛合される。
【００２２】
プラテン歯車３１は、蓋体１３が開閉されることにより、出力歯車３０に対して接近離反する。すなわち、蓋体１３の閉止時には出力歯車３０に噛合して駆動され、蓋体１３の開放時には出力歯車３０から離反して空転状態となる。
これらピニオン２３、減速歯車２５、第２減速歯車２７、駆動歯車２９、出力歯車３０及びプラテン歯車３１は、用紙出口１６における本体側歯車と蓋側歯車とが蓋体１３の開放によって分離される構造の歯車部２１を構成している。そこで、ピニオン２３、減速歯車２５、第２減速歯車２７、駆動歯車２９及び出力歯車３０が本体側歯車となり、プラテン歯車３１が蓋側歯車となる。
更に、駆動歯車２９には上記した駆動ローラが同軸に固定され、プラテン歯車３１には上記したプラテンローラが同軸に固定されている。
【００２３】
フレーム側板４３には本体側歯車カバー３９が固設され、本体側歯車カバー３９はピニオン２３から出力歯車３０及び駆動歯車２９までの上方を覆っている。これにより、カッター１９によってカットされた用紙の紙粉がこれら本体側歯車に堆積しないようになっている。
【００２４】
一方、プラテン歯車３１の支持軸３３には蓋側歯車カバー３５が回動自在に設けられ、蓋側歯車カバー３５はプラテン歯車３１を覆っている。蓋側歯車カバー３５は、プラテン歯車３１と共に蓋体１３の開閉によって移動される。
蓋側歯車カバー３５には鍔部３５ａが突設され、鍔部３５ａは蓋体１３の閉止時に図２に示すように本体側歯車カバー３９上に重なるように配置される。
【００２５】
更に、蓋体１３の開閉時に本体開口縁１７と鍔部３５ａとが干渉しない位置へ蓋側歯車カバー３５を回動させる干渉回避手段４０が、蓋体１３と装置本体１１とに亘って設けられている。
【００２６】
本実施形態の干渉回避手段４０は、図２に示すように、付勢手段である引っ張りコイルバネ３７と、凸部３５ｂと、当接座部４１とによって構成されている。
引っ張りコイルバネ３７は、蓋体１３の開閉時に鍔部３５ａを本体開口縁１７に干渉させない位置へ蓋側歯車カバー３５を回転付勢させる。
凸部３５ｂは、蓋側歯車カバー３５の回転半径方向の外側に突設されている。
当接座部４１は、装置本体１１に固定されて蓋体１３の閉動時に凸部３５ｂと当接して鍔部３５ａを本体側歯車カバー３９上に重ねる位置に蓋側歯車カバー３５を回転させる。
【００２７】
即ち、蓋側歯車カバー３５は、引っ張りコイルバネ３７によって、一方向（図２の時計回り方向）へ回転付勢され、その結果、鍔部３５ａが本体開口縁１７と干渉しない位置へと退避される。これにより、蓋体１３の開閉時における鍔部３５ａと本体開口縁１７との干渉が回避される。
また、蓋体１３が閉動され、鍔部３５ａが本体開口縁１７を通過すると、今度は蓋側歯車カバー３５の凸部３５ｂが当接座部４１に当接し、蓋側歯車カバー３５が、引っ張りコイルバネ３７の付勢力に抗して鍔部３５ａを本体側へ突出させる方向へ回転させられる。
このように、本実施形態の輪列カバー機構は、蓋体閉止時には蓋側歯車カバー３５を本体側へ突出させる一方、蓋体開閉時には蓋側歯車カバー３５を本体開口縁１７に干渉させない簡単な構造の干渉回避手段４０を備えている。
【００２８】
次に、上述した歯車部への輪列カバー機構の作用を説明する。
図４は蓋体の開放直後又は閉止直前におけるレシートプリンタの一部切り欠き断面図、図５は蓋体開放時における干渉回避手段の動作説明図、図６は蓋側歯車カバーが回転しない場合を示す一部切り欠き断面図である。
【００２９】
本実施形態に係る歯車部２１への輪列カバー機構は、図４に示す蓋体１３の開いた状態から、蓋体１３が更に閉動されると、蓋側歯車カバー３５の凸部３５ｂが当接座部４１に当接する。
更に蓋体１３が閉動されると、蓋側歯車カバー３５が反時計回りに回転され、鍔部３５ａが本体側歯車カバー３９上に重ねられた状態（図２参照）となる。
【００３０】
蓋体１３の閉止時、蓋側歯車カバー３５の鍔部３５ａが、本体側歯車カバー３９に重なる。そして、蓋側歯車及び本体側歯車が双方の蓋側歯車カバー３５と本体側歯車カバー３９とによって覆われるので、その境界部分も双方のカバーがオーバーラップされて紙粉の侵入する間隙が形成されることはない。
【００３１】
一方、図４に示した状態から、蓋体１３が開動されると、凸部３５ｂが当接座部４１から離反し、蓋側歯車カバー３５が引っ張りコイルバネ３７の付勢力によって時計回りに回転させられる。即ち、蓋体１３の開動時には、本体側へ突出配置されている鍔部３５ａが、干渉回避手段４０による蓋側歯車カバー３５の回転によって、本体開口縁１７に干渉しない位置へと退避させられる。
【００３２】
そこで、本体側歯車と蓋側歯車とが、蓋体１３の開放によって分離される歯車構造であっても、蓋体１３の開閉時に、鍔部３５ａを本体開口縁１７に干渉させることなく、本体側歯車カバー３９に重ねることが可能となる。
これに対し、例えば干渉回避手段４０の引っ張りコイルバネ３７が無い場合では、図６に示したように、蓋側歯車カバー３５が回転されず、鍔部３５ａが本体開口縁１７に衝突してしまう。
【００３３】
また、本実施形態の干渉回避手段４０では、図５に示すように、蓋体１３の開動過程に、凸部３５ｂと当接座部４１とを当接させた蓋側歯車カバー３５の回転規制状態が解除されると同時に、蓋側歯車カバー３５が引っ張りコイルバネ３７の付勢力によって所定角度加速回転される。
すなわち、蓋体１３が閉止状態から開動されると、蓋側歯車カバー３５の凸部３５ｂが図５（ａ）に示す矢印ａ方向に回転しつつ当接座部４１に摺接しながら、当接座部４１から図５（ｂ）に示す矢印Ｆ方向に徐々に離反されて行く。
【００３４】
この過程において、蓋側歯車カバー３５は引っ張りコイルバネ３７の付勢力によって回転付勢されていることで、凸部３５ｂが当接座部４１に摺接する。
蓋体１３が所定角度まで開動されると、図５（ｃ）に示すように、凸部３５ｂが当接座部４１から完全に離れ、回転規制が解除される。これと同時に引っ張りコイルバネ３７の付勢力によって蓋側歯車カバー３５が矢印Ｋ方向へ所定角度加速回転される。
そして、この蓋側歯車カバー３５の加速回転時の衝撃により、蓋側歯車カバー３５の上に堆積した紙粉ｐが振り落とされる。
従って、蓋側歯車カバー３５に堆積した紙粉ｐは、ロール紙の投入時等、蓋体１３を開放する都度に除去されることとなる。
【００３５】
したがって、上記実施形態の輪列カバー機構によれば、蓋体１３の閉止時に本体側歯車カバー３９上に鍔部３５ａが重なる蓋側歯車カバー３５を、蓋体１３に回動自在に設け、蓋体１３の開閉時に本体開口縁１７にこの鍔部３５ａを干渉させない位置へ蓋側歯車カバー３５を回動させる干渉回避手段４０を、蓋体１３と装置本体１１とに亘って設けたので、本体側歯車と蓋側歯車とが、蓋体１３の開放によって分離される歯車構造であっても、蓋体１３の開閉時に、鍔部３５ａを本体開口縁１７に干渉させることなく、本体側歯車カバー３９に重ねることが可能となる。
この結果、蓋体１３を閉じた状態で歯車部２１を確実に覆うことができ、歯車部２１に紙粉ｐが侵入、堆積することによる歯車部２１の損傷を防止することができる。
【００３６】
なお、上記実施形態においては、蓋側歯車カバー３５がプラテン歯車３１と同軸で回動自在に設けられ、引っ張りコイルバネ３７が蓋体１３の開閉時に鍔部３５ａを本体開口縁１７に干渉させない位置へ蓋側歯車カバー３５を回転させると共に、当接座部４１が、蓋体１３の閉動時に凸部３５ｂと当接して鍔部３５ａを本体側歯車カバー３９上に重ねる位置に蓋側歯車カバー３５を回転させる構成としたが、本発明はこれに限定されるものではない。
例えば、蓋側歯車カバーがスライド自在に設けられ、付勢手段が蓋体の開閉時に鍔部を本体開口縁に干渉させない位置へ蓋側歯車カバーをスライド移動させると共に、当接座部が、蓋体の閉動時に凸部と当接して鍔部を本体側歯車カバー上に重ねる位置に蓋側歯車カバーをスライド移動させる構成とすることもできる。
【００３７】
また、上記実施形態では、用紙排出部における歯車部への輪列カバー機構がレシートプリンタ１００に備えられた場合を例に説明したが、本発明に係る輪列カバー機構は、この他、ロール紙を所定長にカットするその他の記録装置（例えば、ロール紙プリンタ、ファクシミリ等）に用いても上記と同様の効果を奏するものである。
更には、本体側歯車カバー３９は、輪列の上方を覆っているとしたが、側面をも覆ってもよく、更には本発明は紙粉を例にとって説明したが、ホッチキスの針やピン類が輪列に落下することによる故障を防止する防止する効果をも奏するものである。
【図面の簡単な説明】
【００３８】
【図１】本発明の一実施形態に係る輪列カバー機構を備えたレシートプリンタの一部分を透視した斜視図である。
【図２】図１に示したレシートプリンタの一部分を切り欠いた断面図である。
【図３】用紙排出部の拡大斜視図である。
【図４】蓋体の開放直後又は閉止直前におけるレシートプリンタの一部切り欠き断面図である。
【図５】蓋体開放時における干渉回避手段の動作説明図である。
【図６】蓋側歯車カバーが回転しない場合を示す一部切り欠き断面図である。
【符号の説明】
【００３９】
１１…装置本体（記録装置本体）、１３…蓋体、１７…本体開口縁、２１…歯車部、２３…ピニオン（本体側歯車）、２５…減速歯車（本体側歯車）、２７…第２減速歯車（本体側歯車）、２９…駆動歯車（本体側歯車）、３０…出力歯車（本体側歯車）、３１…プラテン歯車（蓋側歯車）、３５…蓋側歯車カバー、３５ａ…鍔部、３５ｂ…凸部、３７…引っ張りコイルバネ（付勢手段）、３９…本体側歯車カバー、４０…干渉回避手段、４１…当接座部、１００…レシートプリンタ（記録装置）。
【図１】
2008221804.tif 000003
【図２】
2008221804.tif 000004
【図３】
2008221804.tif 000005
【図４】
2008221804.tif 000006
【図５】
2008221804.tif 000007
【図６】
2008221804.tif 000008